(57)【要約】      （修正有）【課題】地球上の昼と夜の連続を地球中心の外観で再現することが可能になるような計時器を提供する。【解決手段】本計時器は、季節変動に対応して日の出と日の入りを示す手段を有する。この手段は、地球を表す球体と、及び球体と同心的に構成し、地球の明暗境界線の位置を示すことによって非日照時間にある地球の部分と日照時間にある地球の別の部分との境界を定めるように構成する殻状体とを有する。殻状体は、互いに垂直な２つの軸を軸として地球のまわりを回転することができる。殻状体は、２４時間当たり１回転のレートで極軸を軸として回るようにムーブメントによって駆動される。差動機構５０は、赤道面に対する太陽の傾きを表す輪郭を有する年カム７２によって制御されている。差動機構は、極軸と同軸の駆動軸３５によって黄道軸を軸として傾く殻状体の傾きを制御する。【選択図】図５
2016024190.tif 000002
【特許請求の範囲】
【請求項１】
時計用ムーブメントと、及び季節変動に対応して日の出と日の入りを示す手段とを有する計時器であって、
前記日の出と日の入りを示す手段は、地球を表す球体（１７）と、支持体（２５）と、及び前記支持体にマウントされ前記球体と同心的に構成する輪（２３）とを有し、
前記輪は、地球の明暗境界線の位置を示すように構成し、
前記輪（２３）及び前記球体（１７）は、互いに垂直な２つの軸（Ｘ−Ｘ、Ｙ−Ｙ）を軸として、互いに対して回転することができるように構成し、
前記２つの軸のうちの第１の軸は、地球の極軸に対応し、極軸（Ｘ−Ｘ）と呼ばれ、前記２つの軸のうちの第２の軸は、前記球体（１７）の中心にて前記極軸と交差し、黄道軸（Ｙ−Ｙ）と呼ばれ、
前記輪（２３）は、前記支持体（２５）に対して前記黄道軸を軸として自由に回転することができ、
前記日の出と日の入りを示す手段は、さらに、赤道面に対する太陽の傾きを表す輪郭を有し１年当たり１回転のレートでムーブメントによって回転駆動されるように構成する年カム（７２）と、
前記年カムと連係するように構成するカム従動子（７４）と、及び前記輪に前記カム従動子を接続するように構成する運動学的リンクとを有し、
これによって、前記輪が定める平面は、赤道面に対する太陽の傾斜角と等しい角を前記極軸（Ｘ−Ｘ）に対して形成し、
前記支持体（２５）は、２４時間当たり１回転のレートで前記輪（２３）を駆動する前記極軸（Ｘ−Ｘ）を軸として回転するように、ムーブメントによって駆動されるように構成し、
前記日の出と日の入りを示す手段は、差動機構（５０）と、及び前記極軸（Ｘ−Ｘ）と同軸で前記差動機構の出力に接続されている駆動軸（３５）とを有し、
これによって、前記支持体（２５）と同じレートだが前記支持体に対して角変位があるようにして、前記差動機構の第１の入力によってムーブメントによって回転駆動され、
前記カム従動子（７４）は、前記差動機構（５０）の第２の入力に接続されており、
前記駆動軸の角変位は、赤道面に対する太陽の傾きを表し、前記駆動軸（３５）と前記輪（２３）の間に、伝達手段（３９、４１）がさらに設けられており、
これによって、角変位が変わるとそれに応じて前記輪が定める平面と前記極軸（Ｘ−Ｘ）の間の角の値が変わる
ことを特徴とする計時器。
【請求項２】
当該計時器は、表盤（１）を有し、
前記極軸（Ｘ−Ｘ）は、前記表盤の平面と実質的に平行に向いている
ことを特徴とする請求項１に記載の計時器。
【請求項３】
当該計時器は、腕時計である
ことを特徴とする請求項１又は２に記載の計時器。
【請求項４】
前記日の出と日の入りを示す手段は、地球を表す球体（１７）と同心的に構成する殻状体（２７）を有し、
前記殻状体は、非日照時間にある地球の部分と日照時間にある地球の別の部分との境界を定めるように構成し、
前記殻状体（２７）は、概して半球の形を有し概して円形の縁を有し、
この縁は、地球の明暗境界線の位置を示すように構成する前記輪（２３）を形成する
ことを特徴とする請求項１〜３のいずれかに記載の計時器。
【請求項５】
前記黄道軸（Ｙ−Ｙ）は、前記輪（２３）の１つの直径の上に実質的にあり、
前記殻状体（２７）は、延長線上に前記直径の両端がある２つのピボットを支えており、
これらの２つのピボットは、前記支持体（２５）の第１及び第２のアーム（３３ａ、３３ｂ）上の点にてピボット回転する
ことを特徴とする請求項４に記載の計時器。
【請求項６】
前記殻状体（２７）の前記縁（２３）には、前記２つのピボットの間にて直径的に反対方向に位置する２つの溝（４３ａ、４３ｂ）が設けられている
ことを特徴とする請求項５に記載の計時器。
【請求項７】
当該計時器は、月における日（１３）及び月（１１）を示すように構成するカレンダー機構を有し、
前記年カム（７２）は、前記カレンダー機構に運動学的に接続されている
ことを特徴とする請求項１〜６のいずれかに記載の計時器。
【請求項８】
前記輪（２３）は、ベルト（４１）ないしチェーンによって前記駆動軸（３５）に運動学的に接続されている
ことを特徴とする請求項１〜７のいずれかに記載の計時器。
【請求項９】
前記運動学的リンクは、前記差動機構（５０）の前記第２の入力を伝達し、
前記差動機構（５０）は、前記カム従動子（７４）と一体化された惑星車キャリア（５５）を有する
ことを特徴とする請求項１〜８のいずれかに記載の計時器。
【請求項１０】
前記支持体（２５）の前記第１及び第２のアーム（３３ａ、３３ｂ）は、所与の時点で見える地球の表面の部分を増やすように、切り抜かれている
ことを特徴とする請求項５に記載の計時器。
【請求項１１】
前記支持体（２５）の前記第１及び第２のアーム（３３ａ、３３ｂ）は、所与の時点で見える地球の表面の部分を増やすように、透過性を有する材料で作られる
ことを特徴とする請求項５に記載の計時器。
【発明の詳細な説明】
【技術分野】
【０００１】
本発明は、時計用ムーブメントと、及び季節変動に対応して日の出と日の入りを示す手段とを有する計時器に関し、前記日の出と日の入りを示す手段は、地球を表す球体と、支持体と、及び前記支持体にマウントされ前記球体と同心的に構成する輪とを有し、前記輪は、地球の明暗境界線の位置を示すように構成し、前記輪及び前記球体は、互いに垂直な２つの軸を軸として、互いに対して回転することができるように構成し、前記２つの軸のうちの第１の軸は、地球の極軸に対応し、前記２つの軸のうちの第２の軸は、前記球体の中心にて前記第１の軸と交差し、前記輪は、前記支持体に対して前記第２の軸を軸として自由に回転することができ、前記日の出と日の入りを示す手段は、さらに、赤道面に対する太陽の傾きを表す輪郭を有し１年当たり１回転のレートでムーブメントによって回転駆動されるように構成する年カムと、前記年カムと連係するように構成するカム従動子と、及び前記輪に前記カム従動子を接続するように構成する運動学的リンクとを有し、これによって、前記輪が定める平面は、赤道面に対する太陽の傾斜角と等しい角を前記第１の軸に対して形成する。
【背景技術】
【０００２】
日照時間とは、毎日、日の出時に東で太陽の上部が水平線の上に現われる時点から、日の入り時に西で太陽が水平線の下に消えるまでの時間のことである。時間にかかわらず、常に、地球の表面の半分が太陽によって照らされており、残りの半分が暗くなっている。照らされている地球の部分と暗くなっている地球の部分との間の境界線は、地球の明暗境界線と呼ばれる。幾何学的にいうと、地球の明暗境界線は、地球上で円を描く大きな輪である。この大きな輪は、太陽のまわりを公転する地球の軌道の平面（黄道面と呼ばれる）に垂直な平面上にある。また、地球の中心は、これらの２つの平面の間の交差線上に位置する。
【０００３】
一般的には、日照時間は、年間を通して変化し、緯度に依存する。この変化は、黄道面に対して地球の回転軸が傾いていることに起因する。当然、この傾斜は、±２３°２７’の間である熱帯地方の緯度範囲をもたらしている。周知なように、日照時間は、北半球では１２月の至に、南半球では６月の至にて最も短い。昼夜平分時には、全地球上で日照時間は夜の長さと等しい。
【０００４】
上記において与えられた定義に対応している計時器が既に知られている。特に、ドイツ実用新案ＤＥ７０１４３５４（Ｕ）の図３には、地球を表す球体を有する置時計が記載されており、この球体は、垂直軸上にマウントされ、ケースの形態である支持体の上を回転する。支持体の上面には、球体の軸と同軸であって２４時間の円を表すような環状の盤を有する。支持体内には時計用ムーブメントが収容されており、２４時間当たり１回転のレートで地球を盤の上で回転させる。この既知の置時計は、さらに、地球よりわずかに大きく地球と同心的にマウントされている半球状の殻状体を有する。これによって、殻状体が地球を包囲し、地球の半分のみが見えるようになっている。半球状の殻状体は、太陽で照らされている半球を太陽で照らされておらず暗くなっている半球と区別することができるように設けられている。この半球状の殻状体は、地球の両側に付加的に設けられた２本の垂直柱に連接されている。このようにして、地球をその中心軸で支える垂直軸と交差する水平軸を軸として半球状の殻状体が回転することができる。この殻状体には、ラックが嵌められており、このラックは、殻状体の傾斜角を制御するように設けられる機構の一部を形成するピニオンと連係するように構成する。これによって、−２３．５°と＋２３．５°の値の間の全範囲を一年に一度一方向で通り、そして、逆方向で通る。これによって、赤道に対する太陽の傾きの変化の影響を季節に応じて再現している。
【０００５】
なお、上記の従来技術の文献に記載されている置時計は、地動説と呼ばれている観点にしたがって地球上の昼と夜の連続を再現している。実際に、この従来の構造では、自軸を軸として回転するのは地球であり、太陽の影は、季節に応じて傾きを変えているだけである。これは科学的な観点ではあまり正確ではないといえるかもしれないが、自分達が中心にあって太陽が自分達のまわりを回るというような地球を中心とする表現は、我々の直観とかなり一致している。
【発明の概要】
【発明が解決しようとする課題】
【０００６】
本発明の目的は、地球上の昼と夜の連続を地球中心の外観で再現することが可能になるような計時器を提供することである。この目的は、請求項１に記載の計時器を提供することによって達成される。
【課題を解決するための手段】
【０００７】
なお、本発明によれば、地球の明暗境界線を表す輪は、地球の極軸のまわりで支えられながら２４時間当たり１回転のレートで回転する。また、この輪は、回転する支持体上を回転するようにマウントされている。これによって、この輪の極軸に対する傾きを変えることができる。この輪の傾斜角は、回転する支持体と同心的に構成する駆動軸によって制御されている。この駆動軸は、支持体と同じレートだが幾分の位相ずれがあるようにして回転するように、ムーブメントによって作動されている。この位相ずれの値によって、極軸に対する輪の傾きが決まる。
【０００８】
なお、本発明における文脈では、表現「輪」は必ずしもまったく完全な円を表すのではない。表現「輪」は、少なくとも１つの不連続部があるような輪にも等しく用いられる。実際に、本発明によると、このような輪がマウントされる回転軸は、地球の極軸と垂直に交差している。ここで、本発明の好ましい一実施形態によると、地球は、極軸と同軸に延在する軸にマウントされている。これらの条件では、この輪が少なくとも１つの不連続部を有し、これによって、極軸に対する輪の傾きがゼロである状態を通り抜けるときに前記軸とこの輪が交差することが可能になることが必要である。また、この後者の実施形態の好ましい変種の１つによれば、球体を支える軸は、その両端をピボットとする貫通軸である。下でさらにわかるように、前記輪には、この輪のピボット軸に垂直な１つの直径に対してお互い反対側に構成する２つの不連続部がなければならない。
【０００９】
本発明によると、差動機構によって、駆動軸と回転する支持体の間の位相ずれを変えることが可能になる。この差動機構は、第１及び第２の入力、そして、出力を有する。この差動機構の第１の入力は、ムーブメントによって回転駆動されるように構成し、この差動機構の出力は、駆動軸に接続されている。差動機構の第２の入力は、カム従動子に運動学的に接続されている。これによって、年カムの輪郭の変化が、これに応じて駆動軸の位相ずれの変化に反映される。
【００１０】
本発明の好ましい実施形態によると、当該計時器は、表盤を有する腕時計であり、極軸Ｘ−Ｘは、表盤の平面と平行の向きを有する。この特徴は独自である。実際に、季節変動に対応して日の出と日の入りを示す手段を有する既知の計時器は、一般に、置時計である。これらの時計では、極軸Ｘ−Ｘは、通常、表盤と垂直になっている。この構成は、置時計においては満足できるかもしれないが、腕時計のような時計皿を通して片側からしか見えない計時器には、実際上適していない。実際に、少なくともおおまかに地球上のあらゆる場所の位置を容易に把握できるように、地球を表す球体は十分に大きくなければならない。表盤と時計皿の間の空間が狭いことによって、小さな空間しか占めない地球を使用する必要がある。極軸が表盤の垂直方向を向いているような特定の寸法の地球を、それにもかかわらず使用することを可能にする唯一の解決策は、球体を受ける良好な形の穴を表盤に設けることである。しかし、このような構成は、可視性を制限してしまう。なぜなら、底側の半球は、腕時計の着用者にとってまったく見えにくいからである。このことは、表盤を有する腕時計であるような計時器においては、極軸Ｘ−Ｘが表盤の平面と平行に向いていることが好ましいことの理由である。
【００１１】
添付図面を参照しながら下の説明（もっぱら非限定的な例として与えられる）を読むことで、本発明の他の特徴及び効果が明らかになるであろう。
【図面の簡単な説明】
【００１２】
【図１】本発明の特定の実施形態による腕時計の平面図である。
【図２】図１の腕時計の概略断面図である。
【図３】図３Ａ、３Ｂ及び３Ｃは、本発明の日の出と日の入りを示す手段の特定の実施形態の部分図である。これらの３つの部分図は、地球を表す球体と、支持体と、及び支持体上を回転するようにマウントされ球体と同心的に構成する殻状体とを示している。この支持体は、図３Ａにおいて正面、図３Ｂにおいて輪郭、及び図３Ｃにおいて四分の三ずれた図で示されている。
【図４】図３Ａ、３Ｂ及び３Ｃの日の出と日の入りを示す手段の部分断面図である。これにおいて、図３Ａにおけるように支持体が正面を向いている。
【図５】本発明に係る季節変動に対応して日の出と日の入りを示す手段の特定の実施形態の斜視図である。図５は、特に、輪にカム従動子を接続する運動学的リンクを示している。
【発明を実施するための形態】
【００１３】
図１及び２に示す腕時計は、具体的には、主要表盤１を有する。主要表盤１は、腕時計の着用者に対して様々な情報を与えるために、３つの小さな表盤７、９及び１５を支えている。これは、第１に、時間に関連している。これにおいて、時間が２つの針３及び５（それぞれ分針及び時針）によって示され、これらは、伝統的な形態で第１の小さな表盤７に対して回転するように構成する。図示した腕時計は、さらに、カレンダーを有し、カレンダーの表示には、他の２つの小さな表盤９及び１５を使用する。このカレンダーを詳細には説明しない。本発明の主題ではないからである。月における日（１〜３１）（又は日付）の表示が、小さな表盤１５の上を回転するように構成する小さな針１３によって確実に行われ、第３の小さな表盤９と連係して別の小さな針１１が年における月を示すように構成していると言及するだけで十分であろう。
【００１４】
本発明によると、図示した腕時計には、さらに、季節変動に対応しつつ地球上の異なる地点の日の出と日の入りを示す手段を有する。これに基づき、図１及び２の腕時計は、さらに、地球を表す球体１７を有する。地球の極軸Ｘ−Ｘと同軸に配置された貫通軸１９に球体１７がマウントされていることがわかるであろう。図示した実施形態では、軸１９は、表盤１の平面と平行な方向を向いており、軸１９の両端は、２つのベアリング（符号を付与していない）内で係合しており、これらのベアリングは、球体が極軸Ｘ−Ｘを軸として回転することを可能にするように、フレームによって支えられている。また、表盤１において１２時の方向に配置された窪み２１に球体１７が収容されていることがわかるであろう。さらに、地球の極軸Ｘ−Ｘが、腕時計の１２時−６時の直径上に重ね合わさっている。地球の北極は、伝統的な形態において上（１２時の方向）を向いている。
【００１５】
本発明によると、この地球上の異なる地点の日の出と日の入りを示す手段は、さらに、支持体２５上にマウントされ球体１７と同心的に構成する輪２３を有する。図示した実施形態において、この日の出と日の入りを示す手段が、地球の半分を隠すために、球体１７と同心的に構成し輪を形成する半球状の殻状体２７を有することがわかるであろう。なお、この実施形態によれば、半球状の殻状体２７が実質的に円形の縁を有すること、及びこの縁が本発明に係る輪２３を形成することを理解できるであろう。したがって、地球の明暗境界線の位置を示すのは、殻状体２７の円形の縁の位置である。単純な輪の代わりに半球の形態の殻状体を使用することに伴う利点としては、非日照時間にある地球の部分と、日照時間にある地球の別の部分とを明白に識別することが可能になるということがある。例えば、殻状体２７は、半透過性ないし透過性を有する材料で作ることができ、この殻状体２７によってカバーされる地球の部分が暗くなっているという印象を与えるように、この材料は軽く染色されていることが好ましい。別の変種（図示せず）によれば、この殻状体２７は、一方が日照時間にあることを示し他方が夜時間にあることを示すような異なる色の２つの半球を接合することによって作られる球体の形を有することもできる。そして、日照時間にあることを示す半球は、地球の表面を見やすくするように、他方の半球よりも透過性が高いことが好ましい。なお、この最後の変種によれば、２つの半球は、それらの間に実質的に円形の線状体を形成しており、この線状体は、本発明に係る輪を構成する。この変種の別の利点は、日照時間にある半球の真中にて太陽を表すという可能性を提供することができるということである。したがって、この変種によって、太陽がその頂点にある時点を腕時計が示すことが可能になる。
【００１６】
図３Ａ、３Ｂ、３Ｃ及び図４は、球体１７、支持体２５及び殻状体２７によって形成されるアセンブリについての詳細な図である。３つの図３Ａ、３Ｂ及び３Ｃはそれぞれ、輪郭図及び四分の三ずれた図によって、殻状体と、正面を向いている支持体を示している。図４は、図３Ａと同じアセンブリを正面から見た断面図で示している。引き続き図３Ａを参照する。支持体２５は、概して、球体の両側に対称的に延在する２つの枝体３３ａ及び３３ｂを短い幹体が支えているフォークの形を有することがわかるであろう。図示した変種では、支持体２５は、地球の極軸Ｘ−Ｘと一致している対称軸を有する。ここで、図４の拡大断面図を参照する。支持体２５の幹体が第１の筒かな３１によって形成されており、第１の筒かな３１の中に、第２の筒かな３５、そして、軸１９が通っていることがわかるであろう。図示した実施形態では、軸１９と第１の筒かな３１の間に、第２の筒かな３５が配置されている。しかし、変種の１つによると、第２の筒かな３５の内側には、第１の筒かな３１が配置されている。また、これらの２つの変種では、２つの筒かな３１、３５と、軸１９とは、お互いに対して独立に自由に回転することができる。
【００１７】
また、お互いの軸方向の延長線上に同軸に構成する２つの継ぎ目３７ａ及び３７ｂによって、２つの枝体３３ａ、３３ｂの間を回転するように殻状体２７がマウントされていることが図面から明白であろう。したがって、殻状体２７は、これらの２つの継ぎ目３７ａ及び３７ｂを通り抜ける回転軸を軸として支持体２５上で回転することができる。このピボット軸は、球体１７の中心にて極軸Ｘ−Ｘと交差しており、このピボット軸を以下において黄道軸と呼び、符号Ｙ−Ｙを与える。これら２つの継ぎ目３７ａ、３７ｂのそれぞれは、殻状体２７の縁上にあるピボットによって形成されており、枝体３３ａ、３３ｂの一方の端に固定されているベアリングに挿入されている。また、これらの２つのベアリングに挿入されるピボットは、殻状体２７の縁によって形成される大きな輪２３上における直径的に対向する２つの位置を占めている。
【００１８】
図３Ａ及び４を再度参照する。チェーン４１が第２の筒かな３５を継ぎ目３７Ａに接続していることを理解できるであろう。より正確には、チェーン４１は、筒かな３５に設けられている円形の溝と、継ぎ目３７ａが有するピニオン３９との間できつく引っ張られている。ピニオン３９は、殻状体２７と一体化されているピボットの端上に固定されている。なお、図示した実施形態においては、筒かな３５は、本発明に係る駆動軸を形成し、円形の溝、チェーン４１及びピニオン３９はともに、駆動軸を輪２３に接続するように構成する伝達手段を形成する。すぐ上に説明した構成によると、支持体２５に対する筒かな３５のあらゆる回転は、チェーン４１によってピニオン３９に伝達されている。このようにして、支持体２５に対する筒かな３５のあらゆる回転は、これに応じた黄道軸Ｙ−Ｙを軸とする殻状体２７の回転運動を引き起こす。なお、先ほど説明した機構の結果、極軸Ｘ−Ｘに対する殻状体２７の傾斜角が＋２３．５°と−２３．５°の間の値である範囲を完全に一方向に通り抜け、そして、逆方向に通り抜けることができる。なお、この構造のために、この日の出と日の入りを示す手段は、季節に応じた赤道の上の太陽の傾きの変化の影響を考慮に入れることができる。特に図３Ｃ及び４を参照する。殻状体の縁２３が、継ぎ目３７ａ及び３７ｂの途中の直径的に反対の位置に配置された２つの溝４３ａ、４３ｂを有することが明らかであろう。なお、溝４３ａ、４３ｂは、殻状体２７が極軸Ｘ−Ｘに対して傾いているときに、軸１９が殻状体２７を通り抜けることを可能にするという機能を有する。
【００１９】
本発明よると、支持体２５は、２４時間当たり１回転のレートで第１の軸Ｘ−Ｘを軸として回るように、ムーブメントによって駆動されるように構成することがわかるであろう。また、差動機構によって支持体２５と同じレートであるが支持体に対して角変位があるように、ムーブメントが極軸Ｘ−Ｘに共軸の駆動軸を回転駆動するように構成する。なお、図示した実施形態においてこの駆動軸は、筒かな３５で形成され、筒かな３１の歯構成によってムーブメントが支持体２５を回転させる。
【００２０】
図５は、本発明に係る日の出と日の入りを示す手段の特定の実施形態の斜視図である。図５は、差動機構５０を特に示している。図示した実施形態では、差動機構５０は、惑星車列で形成され、これは、車５１及びピニオン５３で形成される第１の入力運動機構と、ブリッジカム従動子５８と一体化された惑星車キャリア５５を有する第２の入力運動機構と、惑星車キャリア５５とブリッジカム従動子５８の間で回転され、同心のピニオン６０と車６２で形成される惑星車機構と、最後に、車６４及びピニオン６６で形成される出力運動機構とを有する。
【００２１】
また、図５は、ムーブメントの時車６８と、及び差動機構５０の第１の入力に時車６８を接続する中間的運動機構７０とを示している。また、年カム７２と、及びブリッジカム従動子５８によって支えられるフィーラスピンドル７４とを示している。このブリッジカム従動子５８は、差動機構の第２の入力を形成する。フィーラスピンドル７４は、ばね（図示せず）によってカム７２の方に引かれることを指摘すべきであろう。また、差動機構の出力と筒かな３５の間に、２つの中間的車７６及び７８が配置される。
【００２２】
図５に示す差動機構の動作を説明する。時車６８は、１２時間当たり１回転のレートで従来の方法で駆動される。時車６８は、中間的運動機構７０と噛み合う。この中間的運動機構７０は、次に、差動機構の第１の入力の車５１を駆動する。図示した実施形態では、車５１が２４時間当たり１回転するようなギア比となっている。
【００２３】
また、車５１がピニオン５３によって差動機構５０の入力運動機構を形成することも明白であろう。なお、ピニオン５３も２４時間当たり１回転のレートで回転する。ピニオン５３は、惑星車機構のピニオン６０と噛み合う。このように、惑星車機構を自身の軸を軸として回転させる。惑星車機構の車６２は、次には、（ピニオン６６及び車６４で形成される）差動機構の出力運動機構のピニオン６６と噛み合う。これによって、この出力運動機構は、回転駆動される。図示した実施形態では、第２の入力が作動されていない前提で、出力運動機構は、（車５１及びピニオン５３で形成される）第１の入力の運動機構と同じレートで回転するようなギア比となっている。
【００２４】
図５を再度参照する。３つの中間的車８０、８２及び８４が、車５１を支持体２５の筒かな３１に接続することを理解できるであろう。なお、筒かな３１及び支持体２５も、２４時間当たり１回転のレートで時車６８によって駆動されている。支持体２５の回転の方向、したがって、殻状体２７の回転の方向も、地球のまわりを回転する太陽の見かけの運動を再現するように選択されている。これらの条件では、地球の明暗境界線は、地球上の東から西の方向へとずれる。
【００２５】
本発明によると、年カム７２は、１年当たり１回転のレートで計時器のムーブメントによって回転駆動されるように構成し、また、年カム７２の輪郭は、地球の赤道面に対する太陽の傾斜の年間における変化を表す。また、ブリッジカム従動子５８が、惑星車キャリア５５と一体化されており、差動機構５０の第２の入力を惑星車キャリア５５と形成することもわかるであろう。また、ブリッジカム従動子５８は、年カム７２と連係するように構成するフィーラスピンドル７４を支えている。なお、ブリッジカム従動子５８及び惑星車キャリア５５は、年カムの輪郭の各変化に応じて差動機構に対してお互い同軸に回転するように構成する。惑星車キャリアが回転すると、惑星車機構のピニオン６０は、差動機構の第１の入力運動機構のピニオン５３の歯構成上を転がる。このように、単独で知られている既知の方法によって、惑星車キャリア５５の回転運動が、惑星車機構の車６２によって出力運動機構のピニオン７０に伝達される。したがって、惑星車キャリア５５のあらゆる回転運動が、差動機構の出力運動機構の回転速度を簡潔に変更するという効果を有する。このようにして、出力運動機構のレートが、年カム７２の輪郭の変化によって変更される。
【００２６】
図示した実施形態において、（ピニオン６６及び車６４で形成される）差動機構の出力運動機構は、惑星車キャリア５５が運動をしていないかぎり、第１の入力運動機構５１及び５３と同じレートで回転する。このようにして、差動機構の出力運動機構の車６４は２４時間当たり１回転のレートでムーブメントによって駆動され、車６４と差動機構の第１の入力運動機構の間の位相ずれがブリッジカム従動子５８の角位置によって決まることがわかるであろう。再び、図５に示すように、差動機構の出力車６４は、中間的車７６及び７８によって筒かな３５を駆動するように構成し、他方、差動機構の第１の入力運動機構の車５１は、３つの中間的車８０、８２及び８４によって支持体２５の筒かな３１を駆動するように構成する。なお、筒かな３５と支持体２５の間の位相ずれが、年カム７２の輪郭によって決められることがわかるであろう。また、図５に示すように、中間的車８４及び第１の筒かな３１は、お互いに垂直であり、また、中間的車７８と第２の筒かな３５も、お互いに垂直である。このようにして、円錐ギアトレーンが設けられ、これらの車の連係が可能になる。
【００２７】
筒かな３５が、チェーン４１によって殻状体２７の傾きを制御するように構成し、このチェーン４１は、筒かな３５を２つのピボットのうちの１つと一体化されたピニオン３９に接続し、これらのピボットによって、殻状体が保持されていることを理解できたであろう。筒かな３５が支持体２５と同じレートで回転するかぎり、支持体に対する筒かな３５の回転速度は、ゼロである。チェーン４１が支持体によって支えられるので、筒かな３５が支持体に対して運動していないかぎり、チェーン４１は作動しない。逆に、年カム７２が惑星車キャリア５５を回転させるごとに、この回転運動によって、筒かな３５が支持体２５に対して回転する。この回転は、年カムが殻状体２７を極軸Ｘ−Ｘに対して回転させるように、チェーン４１及びピニオン３９に伝達される。
【００２８】
図１及び２に示す実施形態において、所与の時間において地球の２分の１のみを見ることができるような形態で、地球を表す球体１７が表盤に設けられた窪み２１に収容されることを上で理解できたであろう。また、極軸Ｘ−Ｘと同軸に構成する中央軸１９に球体１７がマウントされることも理解できたであろう。また、表盤１と平行に軸が向いており、地球が自身の軸を軸として回転することができるように、軸の両端がベアリング内で係合している。これによって、表盤側から見ることができる部分を変えることができる。
【００２９】
地球上のすべての地点における日の出と日の入りを示すことができるためには、地球上の各地点を腕時計の表盤で見ることができることが必要である。なお、このために、地球を表す球体は回転することができる必要がある。したがって、腕時計の着用者が作動させて地球を回転させることができるような手動式制御メンバーを腕時計が有すると有用である。また、好ましい実施例によれば、腕時計の時計皿は、極軸Ｘ−Ｘ上に重ね合わされた短い線を見せることができる。時計皿上のこの線の存在によって、地球の向きを正確に調整することが簡単になる。当業者であれば、ここで与えた情報から、球体１７の向きを調整することを可能にする手動式制御機構を構成することに苦労しないであろう。
【００３０】
なお、添付の請求の範囲によって定められる本発明のフレームワークから逸脱せずに、当業者にとって明白な様々な改造及び／又は改善を、本明細書の主題を形成する実施形態に対してなすことができる。具体的には、差動機構５０の第１の入力を、２４時間当たり１回転のレートでムーブメントによって駆動する必要はない。また、差動機構５０の出力は、駆動軸３５と同じレートで回転する必要はない。回転速度に適応するために、運動学的リンクの異なる要素の間に、減速ギア又は増速ギアを容易に設けることができる。
【符号の説明】
【００３１】
１  表盤
１７  球体
２３  輪
２５  支持体
２７  殻状体
３５  駆動軸
４１  ベルト
５０  差動機構
５５  惑星車キャリア
７２  年カム
７４  カム従動子
３３ａ、３３ｂ  アーム
４３ａ、４３ｂ  溝
Ｘ−Ｘ  極軸
Ｙ−Ｙ  黄道軸
【図１】
2016024190.tif 000003
【図２】
2016024190.tif 000004
【図３】
2016024190.tif 000005
【図４】
2016024190.tif 000006
【図５】
2016024190.tif 000007